(57)【要約】【課題】コストの上昇や環境等の悪化を招くことなく限られたスペースに設置できる送風装置の設置構造を提供する。【解決手段】  処理槽１０に連接する天井スラブ１２の上部に送風機２１が収容された送風機ケーシング２２を設置し、駆動回路３０が収容された回路ケーシング３１を天井スラブ１２の下部空間に形成された管廊１３に設置するとともに、送風機ケーシング２２と回路ケーシング３１とを天井スラブ１２を貫通する第一の送風管４０で連通し、送風機２１により誘引される空気が、回路ケーシング３１から第一の送風管４０を介して送風機ケーシング２２に導かれるように構成されている。【選択図】図１
2011005401.tif 000002
【特許請求の範囲】
【請求項１】
汚水処理設備の処理槽に設置された散気装置に空気を供給する送風機と、送風機を駆動する駆動回路を備えた送風装置の設置構造であって、
処理槽に連接する天井スラブの上部に送風機を設置し、駆動回路が収容された回路ケーシングを天井スラブの下部空間に形成された管廊に設置するとともに、一端が回路ケーシングに接続された第一の送風管を、天井スラブを貫通して設置し、送風機により誘引される空気が、回路ケーシングから第一の送風管を介して送風機に導かれる誘引経路を備えている送風装置の設置構造。
【請求項２】
送風機が天井スラブの上部に設置された送風機ケーシングに収容され、第一の送風管の他端と送風機ケーシングが接続されている請求項１記載の送風装置の設置構造。
【請求項３】
誘引経路を介して誘引される空気量を調整する調整用誘引経路となる開口が送風機ケーシングに形成されている請求項２記載の送風装置の設置構造。
【請求項４】
第一の送風管の他端と送風機の吸引管が接続されている請求項１記載の送風装置の設置構造。
【請求項５】
誘引経路を介して誘引される空気量を調整する調整用誘引経路となる分岐管が吸引管に接続されている請求項４記載の送風装置の設置構造。
【請求項６】
回路ケーシングに吸引口が形成され、空気が吸引口を介して第一の送風管に導かれる請求項１から５の何れかに記載の送風装置の設置構造。
【請求項７】
天井スラブを貫通する第二の送風管の一端を回路ケーシングに連通し、送風機により誘引される空気が、第二の送風管の他端側から回路ケーシングを介して第一の送風管に導かれる請求項１から５の何れかに記載の送風装置の設置構造。
【請求項８】
送風機ケーシングに区画壁を介して吸引ケーシングを形成し、吸引ケーシングに形成された吸引口を介して吸引された空気が、第二の送風管の他端側から回路ケーシングに流入するように構成されている請求項７記載の送風装置の設置構造。
【請求項９】
誘引経路を介して誘引される空気量を調整する調整用誘引経路となる開口が区画壁に形成されている請求項８記載の送風装置の設置構造。
【請求項１０】
第一の送風管の他端と送風機の吸引管が接続され、誘引経路を介して誘引される空気量を調整する調整用誘引経路となる分岐管が吸引管に接続されている請求項７記載の送風装置の設置構造。
【請求項１１】
第二の吸引管を介して回路ケーシングに吸引される空気量を調整する吸引口が、回路ケーシングに形成されている請求項７から１０の何れかに記載の送風装置の設置構造。
【請求項１２】
送風機が電動機の出力軸とインペラが直結されたターボブロワで構成され、送風機により誘引される空気から塵埃を除去するフィルタが空気の取入れ部に設けられている請求項１から１１の何れかに記載の送風装置の設置構造。
【請求項１３】
回路ケーシングに操作部が設けられ、操作部と回路ケーシング内部とを気密に保つシール構造が設けられている請求項１２記載の送風装置の設置構造。
【請求項１４】
汚水処理設備の処理槽に設置された散気装置に空気を供給する送風機と、送風機を駆動する駆動回路を備えた送風装置の設置方法であって、
処理槽に連接する天井スラブを開口して送風管を設置する送風管設置工程と、
天井スラブの上部に送風機を設置する送風機設置工程と、
駆動回路が収容された回路ケーシングを天井スラブの下部空間に形成された管廊に設置する回路ケーシング設置工程と、
送風管の一端と送風機を接続し、送風管の他端と回路ケーシングを接続する送風管連結工程とを備えている送風装置の設置方法。
【請求項１５】
処理槽に連接する天井スラブの下部空間に管廊が形成され、処理槽に設置された散気装置に空気を供給する送風管が管廊に設置された汚水処理設備の改築方法であって、
天井スラブを開口して送風管を設置する送風管設置工程と、
天井スラブの上部に送風機が収容された送風機ケーシングを設置する送風機ケーシング設置工程と、
駆動回路が収容された回路ケーシングを天井スラブの下部空間に形成された管廊に設置する回路ケーシング設置工程と、
送風管の一端と送風機ケーシングを接続し、送風管の他端と回路ケーシングを接続する送風管連結工程と、
送風機の出力管と散気装置の入力管を接続する工程とを含む汚水処理設備の改築方法。
【発明の詳細な説明】
【技術分野】
【０００１】
本発明は、汚水処理設備の処理槽に空気を供給する送風装置及び汚水処理設備の改築方法に関する。
【背景技術】
【０００２】
汚水処理設備は、汚水を浄化処理する複数の処理槽と、処理槽の設置領域とは離隔した領域に機器収容室を構築し、機器収容室に処理槽を運転するための種々の機器が配置されている。
【０００３】
処理槽は、地面を掘削形成した複数の空間にコンクリートを打設した複数の水槽で構成されている。隣接する処理槽の間や周囲にコンクリート製の天井スラブが延出形成され、天井スラブの下部空間に汚泥の配管やポンプ設備、さらには、処理槽に設置された散気装置へ空気を供給する送風管等を設置する管廊が設けられている。
【０００４】
機器収容室には、送風機が設置され、送風機に接続された送風管を介して散気装置に必要な量の空気が供給される。
【０００５】
近年、このような汚水処理設備の老朽化に伴ない、設備を改築する必要性に迫られている。このような場合、機器収容室には、既存の送風機等の様々な設備が設置されているため、新たな機器を設置するスペースが確保できない場合や、管廊に設置された既存の配管に沿って新たな配管を設置するスペースが確保できない場合がある。そのような場合に、既存の機器を撤去した後に新たな危機を配置すると、既存の設備を長期にわたり停止させなければならないという問題があった。
【０００６】
近年、高い送風効率を有する電動機とインペラを直結した単段ターボブロワが注目されている。
【０００７】
例えば、このような直結式の単段ターボブロワを処理槽の近傍に配置して、短い長さの配管を介して散気装置に送風することにより、配管のイニシャルコストや動力コストを抑制することができる。
【０００８】
このような送風機を用いる場合には、大きな騒音を低減させる必要があるという問題、送風機の回転数等を制御するためのインバータ回路を含む制御盤を冷却するファンが必要になるという問題がある。
【０００９】
図１６に示すように、特許文献１には、このような問題を解決するべく、ケーシング１００内の上部に送風機１０１をマウントするとともに、その下部にインバータ回路等の電子デバイス１０２を設置し、ケーシング１００の一面にルーバー１０３を取り付けた送風装置が提案されている。
【００１０】
当該送風装置は、ルーバー１０３の内側に消音カバー部材１０４を設置し、送風機１０１によりルーバー１０３を介して空気を吸引し、吸引した空気によりインバータ回路等の電子デバイス１０２を冷却し、その空気を送風管１０５から吐出すように構成されている。
【先行技術文献】
【特許文献】
【００１１】
【特許文献１】韓国登録特許第１００５７２８５０号公報
【発明の概要】
【発明が解決しようとする課題】
【００１２】
しかし、特許文献１に記載されたような送風装置を採用する場合には、以下の問題があった。
【００１３】
既存の管廊には配管や設備が配置されているため、大型の送風装置を管廊にそのまま設置するスペースが確保できないという問題、躯体としての強度が十分に確保されていない天井スラブに、数トンになる重量の送風装置を設置すると危険であるという問題等である。
【００１４】
そこで、送風機とインバータ回路等の駆動回路を別体にして分散設置することも考えられるが、駆動回路を天井スラブ等の野外に設置すると、炎天下に曝されるために十分な冷却ができず過熱により故障する虞があり、また風雨に対する配慮も必要となり、そのための複雑な防水通気構造が必要になる。
【００１５】
また、駆動回路を管廊に設置すると、駆動回路を冷却するためのファンが必要になるばかりか、冷却風を管廊に放風すると管廊が高温になり、作業者の作業環境が悪化するという問題が生じる。
【００１６】
本発明の目的は、上述した問題点に鑑み、コストの上昇や環境等の悪化を招くことなく限られたスペースに設置できる送風装置の設置構造、及び、設備を効率的に改築することができる汚水処理設備の改築方法を提供する点にある。
【課題を解決するための手段】
【００１７】
上述の目的を達成するため、本発明による送風装置の設置構造の第一特徴構成は、特許請求の範囲の請求項１に記載した通り、汚水処理設備の処理槽に設置された散気装置に空気を供給する送風機と、送風機を駆動する駆動回路を備えた送風装置の設置構造であって、処理槽に連接する天井スラブの上部に送風機を設置し、駆動回路が収容された回路ケーシングを天井スラブの下部空間に形成された管廊に設置するとともに、一端が回路ケーシングに接続された第一の送風管を、天井スラブを貫通して設置し、送風機により誘引される空気が、回路ケーシングから第一の送風管を介して送風機に導かれる誘引経路を備えている点にある。
【００１８】
上述の構成によれば、送風機により誘引される空気が、誘引経路によって回路ケーシングから第一の送風管を介して送風機に導かれるので、駆動回路を冷却するための別途の冷却ファンを設ける必要がなく、また、回路ケーシングに複雑な防水通気構造を備える必要もない。また、送風機と回路ケーシングに分割することにより、各ブロックに軽量化され、強度が制限される天井スラブであっても送風機が収容された送風機を十分に支持できるようになる。
【００１９】
尚、既存の散気装置に送風するための配管端部は、天井スラブ側に延出しているため、天井スラブに設置された送風機の出力管と、散気装置に送風するための配管とを接続するための送風管も極めて短く構成することができる。さらに、駆動回路により加熱された空気が散気装置に供給されるため、処理槽での微生物の活性化に適した温度の空気を散気装置から供給できる。
【００２０】
同第二の特徴構成は、同請求項２に記載した通り、上述の第一特徴構成に加えて、送風機が天井スラブの上部に設置された送風機ケーシングに収容され、第一の送風管の他端と送風機ケーシングが接続されている点にある。
【００２１】
上述の構成によれば、送風機により誘引される空気が、第一の送風管から送風機ケーシングに流れ込んだ後に、送風機ケーシング内で送風機の吸引管から誘引されるようになる。送風機で発生する大きな騒音を低減させるために、消音ケーシングを設ける必要がある場合に、このような消音のためのケーシングを送風機ケーシングとして用いれば、第一の送風管の他端と送風機の吸引管とを直接接続するための管路を設ける必要が無くなり、部品コストの低減を図ることができ、また、野外に設置される場合であっても、送風機が直接風雨に曝されることが無くなり、故障等を引き起こす虞を低減させることができる。
【００２２】
同第三の特徴構成は、同請求項３に記載した通り、上述の第二特徴構成に加えて、誘引経路を介して誘引される空気量を調整する調整用誘引経路となる開口が送風機ケーシングに形成されている点にある。
【００２３】
上述の構成によれば、回路ケーシング内を通過する誘引空気量が多すぎるために、圧力損失が増大して送風機の駆動動力が高くなる虞がある場合や、駆動回路に冷却風による異常な圧力が局所的に作用する虞がある場合等に、第一の送風管を大径に構成することなく、送風機ケーシングに形成された開口を介して誘引される空気量により、誘引経路を介して誘引される空気量を調整して、効率よく安定稼働させることができる。
【００２４】
同第四の特徴構成は、同請求項４に記載した通り、上述の第一特徴構成に加えて、第一の送風管の他端と送風機の吸引管が接続されている点にある。
【００２５】
上述の構成によれば、第一の送風管から誘引される空気が、吸引管を介して効率よく送風機の吸引管に吸引されるようになる。
【００２６】
同第五の特徴構成は、同請求項５に記載した通り、上述の第四特徴構成に加えて、誘引経路を介して誘引される空気量を調整する調整用誘引経路となる分岐管が吸引管に接続されている点にある。
【００２７】
上述の構成によれば、回路ケーシング内を通過する誘引空気量が多すぎるために、圧力損失が増大して送風機の駆動動力が高くなる虞がある場合や、駆動回路に冷却風による異常な圧力が局所的に作用する虞がある場合等に、第一の送風管を大径に構成することなく、分岐管を介して誘引される空気量により、誘引経路を介して誘引される空気量を調整して、効率よく安定稼働させることができる。
【００２８】
同第六の特徴構成は、同請求項６に記載した通り、上述の第一から第五の何れかの特徴構成に加えて、回路ケーシングに吸引口が形成され、空気が吸引口を介して第一の送風管に導かれる点にある。
【００２９】
上述の構成によれば、送風機により吸引される空気が、回路ケーシングに形成された吸引口から吸引され、回路ケーシング内に配置された駆動回路を冷却した後に、第一の送風管を介して送風機に導かれる。一般的に屋外の空気温度より、コンクリートで囲まれた管廊内の空気の方が低温であるため、駆動回路に対する冷却効果が高くなる点、塵埃が吸込まれるリスクが低減される点で好ましく、また、管廊内の空気が送風機により吸引されるため、外気の流入による換気が効率的に行なわれ、危険なガスが管廊に充満するようなリスクを極めて低くできる。
【００３０】
同第七の特徴構成は、同請求項７に記載した通り、上述の第一から第五の何れかの特徴構成に加えて、天井スラブを貫通する第二の送風管の一端を回路ケーシングに連通し、送風機により誘引される空気が、第二の送風管の他端側から回路ケーシングを介して第一の送風管に導かれる点にある。
【００３１】
上述の構成によれば、天井スラブを貫通する第二の送風管の他端側、つまり、天井スラブ上の空気が第二の送風管を介して回路ケーシングに流入し、回路ケーシングを通過し、第一の送風管を介して送風機に供給される。この場合、管廊内の空気が吸引されることがないので、既存の管廊内の換気機構を大きく変更しなくとも、管廊内が異常な負圧になるようなことがない。
【００３２】
同第八の特徴構成は、同請求項８に記載した通り、上述の第七特徴構成に加えて、送風機ケーシングに区画壁を介して吸引ケーシングを形成し、吸引ケーシングに形成された吸引口を介して吸引された空気が、第二の送風管の他端側から回路ケーシングに流入するように構成されている点にある。
【００３３】
上述の構成によれば、第二の送風管の他端側が吸引ケーシングに接続されるため、第二の送風管の他端側の吸引構造、つまり、風雨に対するシール構造等を個別に構築する必要がなく、送風機ケーシングと一体でコンパクトに構成できるようになる。
【００３４】
同第九の特徴構成は、同請求項９に記載した通り、上述の第８特徴構成に加えて、誘引経路を介して誘引される空気量を調整する調整用誘引経路となる開口が区画壁に形成されている点にある。
【００３５】
上述の構成によれば、回路ケーシング内を通過する誘引空気量が多すぎるために、圧力損失が増大して送風機の駆動動力が高くなる虞がある場合や、駆動回路に冷却風による異常な圧力が局所的に作用する虞がある場合等に、第一の送風管を大径に構成することなく、区画壁に形成された開口を介して誘引される空気量により、誘引経路を介して誘引される空気量を調整して、効率よく安定稼働させることができる。
【００３６】
同第十の特徴構成は、同請求項１０に記載した通り、上述の第七特徴構成に加えて、第一の送風管の他端と送風機の吸引管が接続され、誘引経路を介して誘引される空気量を調整する調整用誘引経路となる分岐管が吸引管に接続されている点にある。
【００３７】
上述の構成によれば、回路ケーシング内を通過する誘引空気量が多すぎるために、圧力損失が増大して送風機の駆動動力が高くなる虞がある場合や、駆動回路に冷却風による異常な圧力が局所的に作用する虞がある場合等に、第一の送風管を大径に構成することなく、分岐管を介して誘引される空気量により、誘引経路を介して誘引される空気量を調整して、効率よく安定稼働させることができる。
【００３８】
同第十一の特徴構成は、同請求項１１に記載した通り、上述の第七から第十の何れかの特徴構成に加えて、第二の吸引管を介して回路ケーシングに吸引される空気量を調整する吸引口が、回路ケーシングに形成されている点にある。
【００３９】
上述の構成によれば、第二の吸引管を介して回路ケーシングに誘引される空気量を、回路ケーシングに形成された吸引口から誘引される空気量により調整できるので、回路ケーシング内の空気の通流経路の構成に自由度を持たせることができ、駆動回路の冷却効率等が向上させることができる。
【００４０】
同第十二の特徴構成は、同請求項１２に記載した通り、上述の第一から第十一の何れかの特徴構成に加えて、送風機が電動機の出力軸とインペラが直結されたターボブロワで構成され、送風機により誘引される空気から塵埃を除去するフィルタが空気の取入れ部に設けられている点にある。
【００４１】
上述の構成によれば、フィルタにより塵埃が除去されたクリーンな空気が送風機に供給されるため、塵埃による軸受の損傷を回避して長期安定稼動が可能になる。特に、軸受が空気軸受である場合に有効である。また、フィルタに消音機能を持たせることにより、外部に漏れる送風機の騒音を効果的に低減させることができる。さらに、回路ケーシングに収容された駆動回路に塵埃が付着して、短絡等の事故が発生するような事態を未然に防止できるようになる。
【００４２】
同第十三の特徴構成は、同請求項１３に記載した通り、上述の第十二特徴構成に加えて、回路ケーシングに操作部が設けられ、操作部と回路ケーシング内部とを気密に保つシール構造が設けられている点にある。
【００４３】
回路ケーシングに操作部、つまり操作スイッチや表示装置を設置する場合には、それらのデバイスを設置した隙間から空気とともに塵埃が吸込まれ、送風機の軸受に損傷を与える虞がある。そこで、操作部と回路ケーシング内部とを気密に保つシール構造を設けることにより、そのような問題を解消することができ、装置の信頼性を確保することができる。
【００４４】
本発明による送風装置の設置方法の特徴構成は、同請求項１４に記載した通り、汚水処理設備の処理槽に設置された散気装置に空気を供給する送風機と、送風機を駆動する駆動回路を備えた送風装置の設置方法であって、処理槽に連接する天井スラブを開口して送風管を設置する送風管設置工程と、天井スラブの上部に送風機を設置する送風機設置工程と、駆動回路が収容された回路ケーシングを天井スラブの下部空間に形成された管廊に設置する回路ケーシング設置工程と、送風管の一端と送風機を接続し、送風管の他端と回路ケーシングを接続する送風管連結工程とを備えている点にある。
【００４５】
上述の構成によれば、送風管設置工程で設置された送風管の近傍に送風機を設置し、さらに送風管の下方の管廊に回路ケーシングを設置し、送風管連結工程により送風管の一端と送風機を、送風管の他端と回路ケーシングをそれぞれ接続するという簡単な工程で送風装置を設置することができる。
【００４６】
本発明による汚水処理設備の改築方法の特徴構成は、同請求項１５に記載した通り、処理槽に連接する天井スラブの下部空間に管廊が形成され、処理槽に設置された散気装置に空気を供給する送風管が管廊に設置された汚水処理設備の改築方法であって、天井スラブを開口して送風管を設置する送風管設置工程と、天井スラブの上部に送風機が収容された送風機ケーシングを設置する送風機ケーシング設置工程と、駆動回路が収容された回路ケーシングを天井スラブの下部空間に形成された管廊に設置する回路ケーシング設置工程と、送風管の一端と送風機ケーシングを接続し、送風管の他端と回路ケーシングを接続する送風管連結工程と、送風機の出力管と散気装置の入力管を接続する工程とを含む点にある。
【００４７】
上述の構成によれば、限られた設置スペースであっても、処理槽の近傍に適正に送風装置を設置することができ、効率的に汚水処理設備を改築することができるようになる。
【発明の効果】
【００４８】
以上説明した通り、本発明によれば、コストの上昇や環境等の悪化を招くことなく限られたスペースに設置できる送風装置の設置構造、及び、設備を効率的に改築することができる汚水処理設備の改築方法を提供することができるようになった。
【図面の簡単な説明】
【００４９】
【図１】本発明による送風装置の設置構造の説明図
【図２】回路ケーシングの側断面図
【図３】既存の汚水処理設備の説明図
【図４】既存の汚水処理設備の説明図
【図５】本発明による汚水処理設備の改築方法を適用した説明図
【図６】本発明による汚水処理設備の改築方法を適用した説明図
【図７】本発明による送風装置の設置構造の別実施形態の説明図
【図８】本発明による送風装置の設置構造の別実施形態の説明図
【図９】本発明による送風装置の設置構造の別実施形態の説明図
【図１０】本発明による送風装置の設置構造の別実施形態の説明図
【図１１】本発明による送風装置の設置構造の別実施形態の説明図
【図１２】本発明による送風装置の設置構造の別実施形態の説明図
【図１３】本発明による送風装置の設置構造の別実施形態の説明図
【図１４】本発明による送風装置の設置構造の別実施形態の説明図
【図１５】本発明による送風装置の設置構造の別実施形態の説明図
【図１６】従来の送風装置の説明図
【発明を実施するための形態】
【００５０】
以下、本発明による送風機構の設置構造及び汚水処理設備の改築方法について説明する。
【００５１】
図１に示すように、送風装置２０は、汚水処理設備の処理槽１０に設置された散気装置１１に空気を供給する送風機２１と、送風機２１を駆動する駆動回路３０を備えている。
【００５２】
送風機２１が収容された送風機ケーシング２２は、処理槽１０に連接する天井スラブ１２の上部に設置されている。
【００５３】
送風機ケーシング２２は、一般構造用圧延鋼材等で形成された枠体内部に吸音材が貼り付けられ消音性が高く、さらに、気密性が高く構成されている。
【００５４】
回路ケーシング３１は、天井スラブ１２の下部空間に形成された管廊１３の床スラブ１４上に設置されている。回路ケーシング３１も気密性が高く構成され、送風機２１を駆動制御する駆動回路３０を内部に備えている。
【００５５】
送風機ケーシング２２と回路ケーシング３１は、天井スラブ１２を貫通する第一の送風管４０で連通され、第一の送風管４０により、送風機２１により誘引される空気が、回路ケーシング３１から第一の送風管４０を介して送風機２１に導かれる誘引経路となる。
【００５６】
第一の送風管４０は、送風機２１により誘引される空気量に応じ、空気の管内流速が高くなり過ぎず、圧力損失が大きくなり過ぎない、適当な径の管が採用される。
【００５７】
送風機２１を駆動すると、管廊１３内の空気が回路ケーシング３１に形成された吸引口４１を介して、回路ケーシング３１内部に吸引され、回路ケーシング３１内部に吸引された空気が、第一の送風管４０を介して送風機ケーシング２２内部に導かれ、送風機２１に誘引される。
【００５８】
以上のように構成することで、回路ケーシング３１内部に吸引された空気流により駆動回路３０が効率的に冷却されるようになるので、駆動回路３０を冷却するための別途の冷却ファンを設ける必要がなくなる。また、回路ケーシング３１は、管廊１３に設置しているので複雑な防水通気構造を備える必要もない。また、送風機ケーシング２１と回路ケーシング３１に分割することにより、各ブロックに軽量化され、強度が制限される天井スラブ１２であっても送風機２１が収容された送風機ケーシング２２を十分に支持できるようになる。
【００５９】
尚、既存の散気装置１１に送風するための配管１５の端部は、天井スラブ１２側に延出しているため、天井スラブ１２に設置された送風機２１の出力管２３と、散気装置１１に送風するための配管１５とを接続するための送風管１６も極めて短く構成することができる。さらに、駆動回路３０により加熱された空気が散気装置１１に供給されるため、処理槽１０での微生物の活性化に適した温度の空気を散気装置１１から供給できる。
【００６０】
一般的に屋外の空気温度より、コンクリートで囲まれた管廊１３内の空気の方が低温であるため、駆動回路３０に対する冷却効果が高くなる点で好ましく、また、管廊１３内の空気が送風機２１によって吸引されるので、外気の流入による換気が効率的に行なわれ、危険なガスが管廊１３に充満するようなリスクを極めて低くできる。
【００６１】
第一の送風管４０を回路ケーシング３１の天井面に接続すれば、回路ケーシング３１の側面に第一の送風管４０の設置スペースを確保せずに済む点で好ましい。尚、管廊に十分なスペースがある場合は、第一の送風管４０を回路ケーシング３１の側面に接続するように構成してもよい。
【００６２】
送風機２１は、電動機の出力軸とインペラが直結された単段ターボブロワで構成されている。空気の取入れ部である吸引口４１には塵埃の通過を阻止するフィルタ４２を設けてあり、塵埃が除去されたクリーンな空気が送風機２１に供給されることにより、塵埃による軸受の損傷が回避され、長期安定稼働が可能になる。特に、軸受が空気軸受である場合にフィルタ４２が有効に機能する。さらに、当該フィルタ４２は、消音機能を備え、送風機２１で発生する騒音が外部に漏洩することがないように、騒音を効果的に低減させる。
【００６３】
送風機２１と回路ケーシング３１を接続する電力線３８は、天井スラブ１２を貫通する電線管４３内部に収容され、電線管４３は外気を吸い込まないように気密に構成されている。
【００６４】
回路ケーシング３１には、交流電圧を直流電圧に変換するコンバータ３０ａ、コンバータ３０ａにより変換された直流電圧を所望の周波数の交流電圧に変換するインバータ３０ｂ、ノイズフィルタ３０ｃ、シーケンサ３０ｄ、送風機２１の電動機を保護するブレーカ３０ｅ、送風機２１の故障を報知するブザー３０ｆ等を備えた駆動回路３０及び、送風機２１の起動、停止及びインバータ３０ｂの周波数等を設定する操作部３６等を備えている。
【００６５】
図２に示すように、駆動回路３０は、回路ケーシング３１のリブ３２によって背面３３から離隔して設置されている。吸引口４１から吸引された空気は、駆動回路３０の周囲を通過するので、冷却効果が高くなる。尚、吸引口４１及び第一の送風管４０は、コンバータ３０ａやインバータ３０ｂのように発熱しやすい機能ブロックが効果的に冷却されるように設けることが好ましい。
【００６６】
例えば、第一の送風管４０を回路ケーシング３１の天井面に連結した場合には、第一の送風管４０への空気流が駆動回路３０の周囲を通過するように、吸引口４１を回路ケーシング３１の下方に形成することが好ましい。
【００６７】
回路ケーシング３１には、操作部３６が設けられ、前面３４に設置された操作扉３８を開いて操作できるように構成されている。このように、回路ケーシング３１に操作部３６、つまり操作スイッチや表示装置を設置する場合には、それらのデバイス（スイッチ類や電流計等のメータや液晶パネル等）を設置した隙間から空気が吸引され、或いは空気が噴出し、送風機２１の効率に影響を与えたり、塵埃が吸込まれる虞がある。そこで、回路ケーシング３１内部を気密に保つシール構造３７を設けることにより、そのような問題を解消することができ、装置の信頼性を確保することができる。
【００６８】
次に、汚水処理設備の改築方法について説明する。
【００６９】
図３，４に示すように、既存の汚水処理設備は、被処理水である原水が流入し、で被処理水に含まれる粗大なゴミが取り除かれる最初沈殿槽５０、最初沈殿槽５０から水路５８を介して流入した被処理水を、散気装置１１によって散気し微生物によって被処理水を好気処理する処理槽１０、処理槽１０から水路５９を介して流入した被処理水に含まれる活性汚泥を沈殿させる最終沈殿槽５１を備えている。
【００７０】
最初沈殿槽５０や処理槽１０や最終沈殿槽５１は、地面を掘削形成した複数の空間にコンクリートを打設して構成されている。隣接する最初沈殿槽５０や処理槽１０や最終沈殿槽５１の間や周囲にコンクリート製の天井スラブ１２が延出形成され、天井スラブ１２の下部空間に汚泥の配管５２や引抜ポンプ５３設備、さらには、処理槽１０に設置された散気装置１１へ空気を供給する送風管５４等を設置する管廊１３が設けられている。
【００７１】
最初沈殿槽５０や処理槽１０や最終沈殿槽５１の設置領域とは離隔した領域には機器収容室５５が構築され、機器収容室５５には、送風機５６や、送風機５６の駆動回路が収容された回路ケーシング５７や、その他処理槽を運転するための種々の機器が配置されている。
【００７２】
また、汚水処理設備の老朽化に伴ない、設備を改築する場合には、既存の設備を稼働させながら機器や配管を取り替える必要があるが、機器収容室５５には、既存の送風機５６等の様々な設備が設置されているため、新たな機器を設置するスペースが確保できない場合や、管廊１３に設置された既存の配管に沿って新たな配管を設置するスペースが確保できない場合がある。
【００７３】
そこで、既存の設備を稼働させながら、送風管設置工程によって天井スラブ１２を開口して送風管４０を設置し、送風機ケーシング設置工程によって天井スラブ１２の上部に送風機２１が収容された送風機ケーシング２２を設置し、回路ケーシング設置工程によって駆動回路３０が収容された回路ケーシング３１を天井スラブ１２の下部空間に形成された管廊１３に設置し、送風管連結工程によって送風管４０の一端と送風機ケーシング２２を接続し、送風管連結工程によって送風管４０の他端と回路ケーシング３１を接続し、送風機２１の出力管２３と散気装置１１に送風するための配管１５を接続すればよい。
【００７４】
このように改築することで、限られた設置スペースであっても、既存の汚水処理設備を長期間停止することなく、既存の汚水処理設備を稼働させた状態で、図５，６に示すように、処理槽１０の近傍に適正に送風装置を設置することができ、短い長さの配管を介して散気装置１１に送風することにより、配管のイニシャルコストや動力コストを抑制することができる。
【００７５】
以下、本発明による送風装置の設置構造の別実施形態について説明する。
【００７６】
上述した実施形態では、回路ケーシング３１のみに吸引口４１を形成する構成について説明したが、図７に示すように、送風機ケーシング２２にも塵埃の通過を阻止するフィルタ６２が設けられた吸引口６１を形成してもよい。吸引口６１が、誘引経路を介して誘引される空気量を調整する調整用誘引経路となる。
【００７７】
回路ケーシング３１内を通過する誘引空気量が多すぎるために、圧力損失が増大して送風機２１の駆動動力が高くなる虞がある場合や、駆動回路３０に冷却風による異常な圧力が局所的に作用する虞がある場合等に、第一の送風管４０を大径に構成することなく、送風機ケーシング２２に形成された吸引口（開口）６１を介して誘引される空気量により、誘引経路を介して誘引される空気量を調整して、効率よく安定稼働させることができる。
【００７８】
この場合、吸引口（開口）６１にその開口面積を調整可能な絞り機構を備えることが好ましい。
【００７９】
上述した実施形態では、送風機２１を送風機ケーシング２２に収容し、送風機ケーシング２２に第一の送風管４０を接続することで、送風機ケーシング２２の内部が、送風機２１により誘引される空気が、回路ケーシング３１から第一の送風管４０を介して送風機２１に導かれる誘引経路となる構成について説明したが、図８に示すように、送風機ケーシングを備えずに、送風機２１の吸引管と第一の送風管４０をエルボ６３で接続し、エルボ６３が送風機２１により誘引される空気が、回路ケーシング３１から第一の送風管４０を介して送風機２１に導かれる誘引経路となる構成であってもよい。
【００８０】
このような構成を採用する場合には、送風機２１を防音用のケーシングに収容してもよい。
【００８１】
送風機２１が、電動機の出力軸とインペラが直結された単段または多段ターボブロワで構成されている場合には、吸引管に連接されるケーシング（風洞）内に電動機が収容されているため、誘引される空気により電動機が効率よく冷却されるようになる。
【００８２】
尚、送風機のケーシングの外部に電動機が設置される場合には、別途、電動機冷却用のファン機構を備えればよい。
【００８３】
さらに、図９に示すように、送風機２１の吸引管と第一の送風管４０を分岐管６４で接続するように構成してもよい。分岐管６４は、送風機２１が第一の送風管４０を介した管廊内の空気と、屋外の空気の両方を吸引できるように構成され、分岐管６４にダンパ６５を備えることで、吸引口４１を介して回路ケーシング３１に導かれる空気の量を調整することができ、駆動回路３０の冷却に適した風量の空気を回路ケーシング３１に供給することができる。尚、ダンパ６５には塵埃の通過を阻止するフィルタ６５ａを設けることが好ましい。分岐管６４及びダンパ６５が、誘引経路を介して誘引される空気量を調整する調整用誘引経路となる。
【００８４】
上述した実施形態では、回路ケーシング３１に管廊内の空気を吸引する吸引口４１を形成する場合について説明したが、空気は管廊内から吸引する場合に限らず、屋外の空気を吸引するように構成してもよい。
【００８５】
例えば、図１０に示すように、天井スラブ１２を貫通する第二の送風管４４の一端４４ａを回路ケーシング３１に連通し、送風機２１により誘引される空気が、第二の送風管４４の他端４４ｂ側から回路ケーシング３１に流入し、第一の送風管４０を介して送風機ケーシング２２に導かれるように構成してもよい。
【００８６】
このように構成することで、天井スラブ１２を貫通する第二の送風管４４の他端４４ｂ側、つまり屋外の空気が第二の送風管４４を介して回路ケーシング３１に流入し、駆動回路３０を冷却した後に、第一の送風管４０を介して送風機２１に供給される。この場合、管廊１３内の空気が吸引されることがないので、既存の管廊１３内の換気機構を大きく変更しなくとも、管廊１３内が異常な負圧になるようなことがない。
【００８７】
さらに、送風機ケーシング２２に区画壁２４を介して吸引ケーシング２５を形成し、吸引ケーシング２５に形成された吸引口４１を介して吸引された空気が、第二の送風管４４の他端４４ｂ側から回路ケーシング３１に流入するように構成することで、第二の送風管４４の他端４４ｂ側が吸引ケーシング２５に接続されるため、第二の送風管４４の他端４４ｂ側の吸引構造、つまり、風雨に対するシール構造等を個別に構築する必要が無く、送風機ケーシング２２と一体でコンパクトに構成できるようになる。
【００８８】
区画壁２４には、吸引口４１から吸引された空気の一部を送風機ケーシング２２に供給する調整用誘引経路となる開口としてのバイパス経路２６が設けられている。バイパス経路２６にはダンパ２７が備えられており、誘引経路を介して誘引される空気量、つまり、第二の送風管４４を介して回路ケーシング３１に導かれる空気の量を調整することができ、駆動回路３０の冷却に適した風量の空気を回路ケーシング３１に供給することができるよう構成されている。
【００８９】
また、図１１に示すように、回路ケーシング３１にも塵埃の通過を阻止するフィルタ６６が設けられた吸引口６７を形成してもよい。これにより、第二の吸引管４４を介して回路ケーシング３１に吸引される空気量を調整することができる。
【００９０】
さらに、送風機ケーシング２２に区画壁２４を介して吸引ケーシング２５を形成する構成に限らず、図１２に示すように、送風機２１の吸引管と第一の送風管４０を分岐管６８で接続する構成であってもよい。
【００９１】
分岐管６８は、送風機２１が第一の送風管４０を介して管廊内の空気と、屋外の空気の両方を吸引できるように構成され、分岐管６８にダンパ６９を備えることで、吸引口４１を介して回路ケーシング３１に導かれる空気の量を調整することができ、駆動回路３０の冷却に適した風量の空気を回路ケーシング３１に供給することができる。分岐管６８及びダンパ６９が、誘引経路を介して誘引される空気量を調整する調整用誘引経路となる。また、図１３に示すように、回路ケーシング３１にも塵埃の通過を阻止するフィルタ７０が設けられた吸引口７１を形成してもよい。
【００９２】
何れの実施形態であっても、送風機２１により誘引される空気から塵埃を除去するフィルタが空気の取入れ部に設けられることが好ましく、特に、送風機２１の軸受が空気軸受である場合に当該軸受けの損傷を回避するために有効である。また、フィルタに消音機能を持たせることにより、外部に漏れる送風機の騒音を効果的に低減させることができる。さらに、回路ケーシングに収容された駆動回路に塵埃が付着して、短絡等の事故が発生するような事態を未然に防止できるようになる。
【００９３】
上述した実施形態では、送風機２１によって誘引される空気は、回路ケーシング３１内全体を通過するように構成したが、例えば、図１４，１５に示すように、回路ケーシング３１内部に、コンバータ３０ａ及びインバータ３０ｂのみが気密構造となるように仕切壁３５を形成してもよい。これにより発熱量が大きいコンバータ３０ａ及びインバータ３０ｂを効率的に冷却することができる。
【００９４】
上述した実施形態では、送風機が直結式の単段ターボブロワで構成される構成について説明したが、ターボブロワは単段である場合に限らず多段であってもよい。
【００９５】
また、送風機は直結式のターボブロワに限らず、電動機の動力をベルトや変速機構を介してインペラに伝達する構成であってもよい。この場合、図１等に示すように、送風機２１が吸引した空気が送風機ケーシング２２内を通過するように構成することで、別途の冷却用のファンを設けなくとも、電動機を誘引空気により冷却することができる。
【００９６】
上述した実施形態は、何れも本発明の一例であり、当該記載により本発明が限定されるものではなく、各部の具体的構成は本発明の作用効果が奏される範囲で適宜変更設計可能であることはいうまでもない。
【符号の説明】
【００９７】
１０：処理槽
１１：散気装置
１２：天井スラブ
１３：管廊
１４：床スラブ
１５：配管
１６：送風管
２０：送風装置
２１：送風機
２２：送風機ケーシング
２３：出力管
２４：区画壁
２５：吸引ケーシング
２６：バイパス経路
２７：ダンパ
３０：駆動回路
３１：回路ケーシング
３２：リブ
３３：背面
３４：前面
３５：仕切壁
３６：操作部
３７：シール構造
３８：操作扉
３９：電力線
４０：第一の送風管
４１：吸引口
４２：フィルタ
４３：電線管
４４：第二の送風管
４４ａ：一端
４４ｂ：他端
５０：最初沈殿槽
５１：最終沈殿槽
５２：配管
５３：引抜ポンプ
５４：送風管
５５：機器収容室
５６：送風機
５７：回路ケーシング
５８，５９：水路
【図１】
2011005401.tif 000003
【図２】
2011005401.tif 000004
【図３】
2011005401.tif 000005
【図４】
2011005401.tif 000006
【図５】
2011005401.tif 000007
【図６】
2011005401.tif 000008
【図７】
2011005401.tif 000009
【図８】
2011005401.tif 000010
【図９】
2011005401.tif 000011
【図１０】
2011005401.tif 000012
【図１１】
2011005401.tif 000013
【図１２】
2011005401.tif 000014
【図１３】
2011005401.tif 000015
【図１４】
2011005401.tif 000016
【図１５】
2011005401.tif 000017
【図１６】
2011005401.tif 000018